(57)【要約】      （修正有）【課題】複数種類の介護文書の作成に当り、共通する内容についての誤記等をなくすことを可とする介護情報収集システムを提供する。【解決手段】介護現場で用いられ、あらかじめ文書識別符号毎に１または複数の入力項目が定められた入力規約に従って介護員により文書識別符号とともに入力された介護情報を本文として含む電子メールを発信する携帯式端末手段と、介護現場と異なる場所に設けられ、前記携帯式端末手段から発信された電子メールを受信するとともに、受信した電子メールの内容を読み出す介護情報受信手段と、前記入力規約を示す入力規約データを有する。さらに、前記読み出された電子メールの内容をリスト形式に変換して、それを前記文書識別符号に対応させた介護文書ファイルに前記入力規約データに基づき入力項目毎に区別して記入する介護情報記入手段と、前記内容を記入された介護文書ファイルを出力する介護文書３のファイル出力手段と、を具えてなる。【選択図】図１
0003176303.tif 000002
【実用新案登録請求の範囲】
【請求項１】
介護現場で用いられ、あらかじめ文書識別符号毎に１または複数の入力項目が定められた入力規約に従って介護員により文書識別符号とともに入力された介護情報を本文として含む電子メールを発信する携帯式端末手段と、
介護現場と異なる場所に設けられ、前記携帯式端末手段から発信された電子メールを受信するとともに、受信した電子メールの内容を読み出す介護情報受信手段と、
前記入力規約を示す入力規約データを有し、前記読み出された電子メールの内容をリスト形式に変換して、電子メールの作成日および時間、差出人、件名、および本文に分類し、その本文の内容から文書識別符号と介護情報とを区別するとともにその介護情報中に複数の入力項目がある場合にそれらの入力項目の内容を前記入力規約データに基づいて区別し、文書識別符号に対応させた介護文書ファイルに、その文書識別符号を本文に含む電子メールの作成日および時間、差出人で表された介護員名、件名で表された要介護者名、および入力項目の内容を記入する介護情報記入手段と、
前記内容を記入された介護文書ファイルを出力する介護文書ファイル出力手段と、
を具えてなる介護情報収集システム。
【請求項２】
前記介護情報記入手段は、複数の介護文書ファイル間で特定の入力項目間を関連付ける関連付けデータを有し、前記関連付けデータに基づき、前記内容を記入した介護文書ファイルの内容を、他の介護文書ファイルに記入することを特徴とする、請求項１記載の介護情報収集システム。
【請求項３】
前記介護情報記入手段は、前記文書識別符号と前記入力項目とを本文への記入順に基づいて区別するとともに、前記入力項目が複数の場合はそれらを本文への記入順に基づいて区別することを特徴とする、請求項１または２記載の介護情報収集システム。
【請求項４】
前記介護情報受信手段は、受信した電子メールの内容を１日に受信した分ずつまとめて読み出し、
前記介護情報記入手段は、前記読み出された１日分の電子メールの内容をまとめて処理することを特徴とする、請求項１から３までの何れか１項記載の介護情報収集システム。
【考案の詳細な説明】
【技術分野】
【０００１】
この考案は、介護現場での介護情報を収集して、介護現場と異なる場所にある事務所で複数種類の介護文書に記入するシステムに関するものである。
【背景技術】
【０００２】
従来、介護現場で行った介護内容や要介護者の状態等の介護情報は通常、毎日、介護員が介護現場でメモし、介護業務の終了後に、介護員が介護現場と異なる場所にある事務所に戻ってから、そこにある複数種類の介護文書に文書毎に手書きで記入している。
【０００３】
また従来、介護員が、サーバーセンターに設けたサーバーに、通信回線を介して携帯電話を接続して、その携帯電話からサーバーに介護情報を入力し、そのサーバーが、ケアマネージャーの操作に基づき介護情報を介護文書に記入して印刷するシステムも知られている（特許文献１）。
【先行技術文献】
【特許文献】
【０００４】
【特許文献１】特開２００１−３０６７００号公報
【考案の開示】
【考案が解決しようとする課題】
【０００５】
しかしながら、介護員による業務終了後の介護文書作成では、業務中に書いたメモから気付いた点を再度書き写していたため二度手間であった。また介護現場では新たな業務が絶えず発生し、業務内容を整理している時間が少なく、記載内容に誤りや漏れが発生し易かった。さらに介護文書は、文書の種類と、重複している記載項目が多いため、手書き入力による文書作成では手間と時間がかかり、この文書作成を毎日行う必要があるため、介護員の負担が大きいという問題があった。
【０００６】
そして携帯電話からサーバーへの介護情報の入力では、記載項目がソフトウェアによって定型化されているため、新たに発生した業務を入力するのが難しく、「その他」欄に入力しても介護情報を適切な項目に記入することができないという問題があった。
【課題を解決するための手段】
【０００７】
この考案は、上記課題を有利に解決することを目的とするものであり、この考案の介護情報収集システムは、介護現場で用いられ、あらかじめ文書識別符号毎に１または複数の入力項目が定められた入力規約に従って介護員により文書識別符号とともに入力された介護情報を本文として含む電子メールを発信する携帯式端末手段と、介護現場と異なる場所に設けられ、前記携帯式端末手段から発信された電子メールを受信するとともに、受信した電子メールの内容を読み出す介護情報受信手段と、前記入力規約を示す入力規約データを有し、前記読み出された電子メールの内容をリスト形式に変換して、電子メールの作成日および時間、差出人、件名、および本文に分類し、その本文の内容から文書識別符号と介護情報とを区別するとともにその介護情報中に複数の入力項目がある場合にそれらの入力項目の内容を前記入力規約データに基づいて区別し、文書識別符号に対応させた介護文書ファイルに、その文書識別符号を本文に含む電子メールの作成日および時間、差出人で表された介護員名、件名で表された要介護者名、および入力項目の内容を記入する介護情報記入手段と、前記内容を記入された介護文書ファイルを出力する介護文書ファイル出力手段と、を具えてなるものである。
【考案の効果】
【０００８】
かかるこの考案の介護情報収集システムにあっては、介護員が介護現場で介護作業を終える毎に、その介護現場で用いられる携帯式端末手段に、電子メールの本文として文書識別符号とともに、あらかじめその文書識別符号毎に１または複数の入力項目が定められた入力規約に従って介護情報を入力し、その本文を含む電子メールを発信すると、その電子メールを、介護現場と異なる場所にある例えば事務所等に設けられた例えばコンピューター等の介護情報受信手段が受信して、その介護情報を含む電子メールの内容を読み出す。
【０００９】
そして、前記入力規約を示す入力規約データを有する介護情報記入手段が、前記読み出された電子メールの内容をリスト形式に変換して、電子メールの作成日および時間、差出人、件名、および本文に分類し、その本文の内容から文書識別符号と介護情報とを区別するとともに、その介護情報中に複数の入力項目がある場合にそれらの入力項目の内容を前記入力規約データに基づいて区別して、文書識別符号に対応させた介護文書ファイルに、その文書識別符号を本文に含む電子メールの作成日および時間、差出人で表された介護員名、件名で表された要介護者名、および入力項目の内容を記入し、さらに、介護文書ファイル出力手段が、前記内容を記入された介護文書ファイルを画面表示やプリントアウト等によって出力する。
【００１０】
従って、従来は業務終了後の介護文書作成時に、業務中に書いたメモから再度気付いた点を書き写していたため、二度手間であったのに対し、この考案の介護情報収集システムによれば、携帯電話機等の携帯式端末手段を使って介護情報をリアルタイムで入力できるので、介護文書作成の手間を大幅に省くことができる。
【００１１】
また、介護現場では新たな業務が絶えず発生し、従来は業務内容を整理している時間が少ないため記載内容に誤りや漏れが発生していたのに対し、この考案の介護情報収集システムによれば、事前に定めた入力規約に従って文書識別符号毎の１または複数の入力項目につき介護員が介護情報を入力し、それらの介護情報を介護情報記入手段が、入力規約データに基づき文書識別符号および入力項目で区分して介護文書ファイルに記入するので、介護文書の記載内容に誤りや漏れが発生するのを防止することができ、また現在の入力規約に含まれない新たな業務が生じた場合にも、それを入力規約に加えるとともに入力規約データを更新するだけでフレキシブルに対応できるので、この点でも介護文書の記載内容に誤りや漏れが発生するのを防止することができる。
【００１２】
さらに、介護文書は、文書の種類と重複している記載項目が多いため、従来は手書き記入による文書作成に時間がかかっていたのに対し、この考案の介護情報収集システムによれば、介護情報記入手段が、介護情報を入力規約データに基づき区分して複数種類の介護文書ファイルに記入するので、介護文書作成の時間を大幅に短縮することができる。
【００１３】
なお、この考案の介護情報収集システムにおいては、前記介護情報記入手段は、複数の介護文書ファイル間で特定の入力項目間を関連付ける関連付けデータを有し、前記関連付けデータに基づき、前記内容を記入した介護文書ファイルの内容を、他の介護文書ファイルに記入するものであってもよく、このようにすれば、文書識別符号の種類数を、作成する介護文書の種類数よりも減らして、入力規約をより簡易にすることができるので、介護現場での携帯式端末手段への介護情報の入力をより容易にすることができる。
【００１４】
また、この考案の介護情報収集システムにおいては、前記介護情報記入手段は、前記文書識別符号と前記入力項目とを本文への記入順に基づいて区別するとともに、前記入力項目が複数の場合はそれらを本文への記入順に基づいて区別することとしてもよく、このようにすれば、リスト形式に変換されてダッシュやカンマ等で区切られた本文の内容を記入順に区別すればよいので、文書識別符号および１または複数の入力項目を、例えばマイクロソフト社の「エクセル（登録商標）」等の通常のソフトウェアで容易に区別することができる。
【００１５】
さらに、この考案の介護情報収集システムにおいては、前記介護情報受信手段は、受信した電子メールの内容を１日に受信した分ずつまとめて読み出し、前記介護情報記入手段は、前記読み出された１日分の電子メールの内容をまとめて処理することとしてもよく、このようにすれば、１日分ずつ作成する複数種類の介護文書を、業務終了後に短時間で作成することができる。
【図面の簡単な説明】
【００１６】
【図１】この考案の介護情報収集システムの一実施例の構成を示す説明図である。
【図２】上記実施例の介護情報収集システムのサーバー内の介護情報記入部が行う処理を示すフローチャートである。
【図３】（ａ）は、連絡文書入力規約の一例を示す説明図、（ｂ）は、項目欄リンク一覧表の一例を示す説明図である。
【図４】（ａ）は、携帯メールを使った連絡内容の例を示す説明図、（ｂ）は、メールプログラムがリスト形式で出力した受信メールを示す説明図、（ｃ）は、文書番号欄を追加した受信メール・リストを示す説明図である。
【図５】（ａ）は、介護情報データベースの一例を示す説明図、（ｂ）は、その介護文書データベースの文書番号１の内容を示す説明図、（ｃ）は、その介護文書データベースの文書番号２の内容を示す説明図である。
【図６】生活援助記録の文書の一例を示す説明図である。
【図７】バイタル記録シートの文書の一例を示す説明図である。
【図８】文書間の項目リンクの一例を示す説明図である。
【考案を実施するための形態】
【００１７】
以下、この考案の実施の形態を実施例によって、図面に基づき詳細に説明する。ここに図１は、この考案の介護情報収集システムの一実施例の構成を示す説明図、また図２は、上記実施例の介護情報収集システムのサーバー内の介護情報記入部が行う処理を示すフローチャートである。
【００１８】
この実施例の介護情報収集システムは、介護現場での介護情報を収集して、介護現場と異なる場所にある事務所で複数種類の介護文書に記入するためのもので、図１に示すように、介護現場で用いられる携帯式端末手段としての通常の携帯電話機等からなる１または複数の携帯端末１を具えている。介護現場で介護員は、介護作業が終了すると、あらかじめ文書識別符号としての文書番号毎に１または複数の入力項目が定められた図３（ａ）に示す如き連絡文書入力規約が書かれたメモ等を参照し、携帯端末１で作成する発信メールの「件名」に要介護者名としての施設利用者名を入力するとともに、「本文」に、上記連絡文書入力規約に従って文書番号と介護情報とを入力し、携帯端末１は、その件名として施設利用者名を含むとともに本文として文書番号および介護情報を含む電子メールを発信する。
【００１９】
図４（ａ）は、この発信メールの内容を例示するものであり、例えば、山田太郎職員は、１１月２４日１０時１２分発信のメール１で、要介護者である施設利用者の佐藤次郎さんに対してバイタル記録を行った結果を、件名：佐藤次郎、内容：２−１２０／８６，８０，３６．６と入力しており、これは、図３（ａ）の入力規約を参照すれば、文書番号２（バイタル記録シート）に関し、血圧が最高１２０／最低８６、脈拍が８０／分、体温が３６．６℃であることを示している。なお、入力項目が複数ある場合は、それらの入力項目の内容を「，（カンマ）」で区切ることで、後述のようにそれらの入力項目の内容がデータとして区切って識別される。
【００２０】
同様に、図４（ａ）中で、井上豊職員は、１１月２４日１２時２６分発信のメール１で、要介護者である施設利用者の杉山太一さんに対して生活援助記録を行った結果を、件名：杉山太一、内容：１−ラジオ体操  佐藤さまと一緒に参加と入力しており、これは、図３（ａ）の入力規約を参照すれば、文書番号１（生活援助記録）に関し、杉山太一さんがラジオ体操に佐藤さんと一緒に参加したことを示している。
【００２１】
また、この実施例の介護情報収集システムは、介護現場と異なる場所に設けられた通常の中央処理ユニット（ＣＰＵ）を持つサーバーからなる事務所サーバー２を具え、この事務所サーバー２は、携帯端末１から受信した各メールの作成日、差出人、件名、本文の内容を、事務所にある複数の介護文書ファイルの項目欄に、あらかじめ定められた上記連絡文書入力規約の「文書名」および「入力項目中の、介護で使用する特定の単語（生活援護記録、身体状況、血圧等）」に従ってそれぞれ入力するためのもので、電子メール受信手段としての電子メール受信部２ａと、介護情報記入手段としての介護情報記入部２ｂと、介護情報出力手段としての介護情報出力部２ｃとを有しており、ここで、電子メール受信部２ａは、上記事務所サーバー２のＣＰＵが、あらかじめ与えられた例えばマイクロソフト社の「アウトルック（登録商標）」等の通常の電子メール送受信ソフトウェアを実行することで構成することができ、携帯端末１から発信された電子メールを受信するとともに、受信した電子メールの内容を読み出す。
【００２２】
また、介護情報記入部２ｂは、これも上記事務所サーバー２のＣＰＵが、あらかじめ与えられた例えばマイクロソフト社の「エクセル（登録商標）」等の通常の表計算ソフトウェアにおいて図２に示す如き処理プログラムを例えばマクロプログラム等として実行することで構成することができ、上記連絡文書入力規約を示す入力規約データを有し、電子メール受信部２ａによって読み出された電子メールの内容をテキストでのリスト形式に変換して、電子メールの作成日および時間、差出人、件名、および本文に分類し、その本文の内容から文書番号と介護情報とを区別するとともにその介護情報中に複数の入力項目がある場合にそれらの入力項目の内容を上記入力規約データに基づいて区別し、文書番号に対応させた介護文書ファイルに、その文書番号を本文に含む電子メールの作成日および時間、差出人で表された介護員名、件名で表された要介護者名としての施設利用者名、および入力項目の内容を記入する。
【００２３】
そして介護情報出力部２ｃは、これも上記事務所サーバー２のＣＰＵが、あらかじめ与えられた例えば上記「エクセル（登録商標）」等の通常の表計算ソフトウェアにおける印刷機能やデータ出力機能を実行することで構成することができ、介護情報記入部２ｂによって上記内容を記入された介護文書ファイル３を画面表示やプリントアウト等によって出力し、あるいはデータベースに保存する。この介護文書ファイル３としては、例えば、生活援助記録、バイタル記録シート、アセスメントシート、モニタリングシート、ケアプラン等の介護関連文書を出力あるいは保存する。
【００２４】
具体的には、ここにおける介護情報記入部２ｂは、図２に示すように、先ずステップＳ１で、例えばアウトルックの受信ボックス（受信フォルダ）から受信メールを、テキストでのリスト形式で1日分、例えば上記エクセルのシートに出力する。例えば図４（ａ）に示す５通のメールの内容は、図４（ｂ）に示すように、行を時間順に並べられ、列を「作成日・時間」、「差出人（介護職員）」、「アドレス（記載を省略）」、「件名（施設利用者）」、「本文（介護情報）」の順に分けられて上記エクセルのシート中の表に記入される。
【００２５】
次いでここではステップＳ２で、「本文」欄の文章から先頭の数字とハイフン（−）を切り取り、図４（ｃ）に示すように、「文書番号」欄を上記表に追加して、その「文書番号」欄にその切り取った数字を記入し、それと同時に「作成日・時間」情報をスペースで分割して、「作成日・時間」欄を「日付」、「時間」欄に作り直す。
【００２６】
ステップＳ２ではさらに、図５（ａ）に示すように、「文書番号」欄に記入された文書番号の順に上記表の「日付」、「時間」欄および「本文」欄をソートした後、その表の項目を「文書番号」、「施設利用者名（件名）」、「日付」、「時間」、「本文」および「記録者（差出人）」の順に入れ替えて、１日分の介護情報データベースを作成する。
【００２７】
ステップＳ２ではさらに、図５（ｂ）および図５（ｃ）に示すように、上記介護情報データベース中から同一文書番号の情報を抜き出して、同一文書番号毎の介護文書データベースを作成する。ここで、図５（ｂ）は、文書番号１の生活援助記録のデータベースであり、図５（ｃ）は、文書番号２のバイタル記録シートのデータベースである。
【００２８】
次いでここではステップＳ３で、１つの介護文書データベースの文書番号に該当する文書ファイルを開き、上記連絡文書入力規約でその文書ファイルに含まれる項目名を検索し、検索した項目名を使って介護文書データベースの同一項目欄からデータをコピーし、開いている文書ファイルの同一項目欄に貼り付ける。このデータコピー／貼り付け処理を、開いている文書ファイル中の各項目について実行した後、その文書ファイルを閉じる。この文書ファイルの各項目のデータコピー／貼り付け処理を、全ての介護文書データベースについて実行する。
【００２９】
例えば、図６に示す生活援助記録の文書ファイルの場合、元になった介護情報データベースの西暦年の欄の内容である「2010年」を各表の左上に記入するとともに、生活援助記録の介護文書データベースの施設利用者名の欄の内容である「杉山太一」、「鈴木一郎」、「佐藤次郎」を各表の右上に記入し、さらに生活援助記録の介護文書データベースの日付と時間の欄の内容を各表の日付と時間の欄に記入し、生活援助記録の介護文書データベースの本文の内容、例えば「水分補給，発汗あり」を、カンマの前後で分けてその記載順に、生活援助記録の文書ファイルの生活援助記録の欄に「水分補給」と記入するとともに（身体状況）の欄に「発汗有り」と記入し、生活援助記録の介護文書データベースの記録者の欄の内容である例えば山田太郎を、生活援助記録の文書ファイルの記録者の欄に記入する。
【００３０】
また例えば、図７に示すバイタル記録シートの文書ファイルの場合、元になった介護情報データベースの施設利用者名の欄のそれぞれの内容である「杉山太一」、「鈴木一郎」、「佐藤次郎」を表の１行目の複数の欄に順次に記入し、またバイタル記録シートの介護文書データベースの時間の欄の内容のうちの「１０時」を、表の左端の欄に記入し、さらに施設利用者名の欄の内容に対応する内容である「佐藤次郎」が１行目に記載された列の、血圧と脈拍と体温との行の欄に、バイタル記録シートの介護文書データベースのその佐藤次郎についての本文の内容である「１２０／８６，８０，３６．６」を、各カンマの前後で分けてその記載順に、血圧の欄に「１２０／８６」、脈拍の欄に「８０」、体温の欄に「３６．６」と記入する。
【００３１】
次いでここではステップＳ４で、項目に親子関係がある文書ファイルを全て開き、例えば手動計算を実行して、１または複数の親文書の項目欄とリンクしている１または複数の子文書の項目欄に、親文書の項目欄のデータをコピーする。ここで、項目の親子関係は、あらかじめ例えば図３（ｂ）に示すように設定して、介護情報記入部２ｂに持たせておく。
【００３２】
例えば、親文書としての生活援助記録の文書ファイルの氏名欄、身体状況欄および、バイタル記録シートの文書ファイルの氏名欄、血圧欄、脈拍欄、体温欄は、子文書としての文書番号３のアセスメントシートの文書ファイルの、それらと同一の項目欄とそれぞれリンクしており、これにより、図８に示すように、生活援助記録の文書ファイルの氏名欄、身体状況欄および、バイタル記録シートの文書ファイルの氏名欄、血圧欄、脈拍欄、体温欄の内容は、アセスメントシートの文書ファイルのそれらと同一の項目欄に一括してコピーされる。
【００３３】
従って、この実施例の介護情報収集システムによれば、携帯端末１を使って介護情報をリアルタイムで入力できるので、介護文書作成の手間を大幅に省くことができる。
【００３４】
また、事前に定めた連絡文書入力規約に従って文書番号毎の１または複数の入力項目につき介護員が介護情報を入力し、それらの介護情報を介護情報記入部２ｂが、入力規約データに基づき文書番号および入力項目で区分して介護文書ファイルに記入するので、介護文書の記載内容に誤りや漏れが発生するのを防止することができ、また現在の連絡文書入力規約に含まれない新たな業務が生じた場合にも、それを連絡文書入力規約に加えるとともに入力規約データを更新するだけで対応できるので、この点でも介護文書の記載内容に誤りや漏れが発生するのを防止することができる。
【００３５】
さらに、介護情報記入部２ｂが、介護情報を入力規約データに基づき区分して複数種類の介護文書ファイルに記入するので、介護文書作成の時間を大幅に短縮することができる。
【００３６】
ところで、介護情報の文書管理を行うセンター方式では、介護される人に対する同一の介護情報を複数の文書の複数の項目欄に記入する。例えばセンター方式文書のD-3焦点情報（生活リズム・パターンシート）およびD-4焦点情報（24時間生活変化シート）を例に見てみると、以下の如くである。
(1)介護される人の名前の入力：D-3
生活リズム・パターンシートの「名前」欄、D-4 24時間生活変化シートの「名前」欄
(2)記入日の入力：D-3
生活リズム・パターンシートの「記入日」欄、D-3 生活リズム・パターンシートの「日付」欄、D-4 24時間生活変化シートの「記入日」欄
(3)文書作成者名の入力：D-3
生活リズム・パターンシートの「記入者」欄、D-4 24時間生活変化シートの「記入者」（1行目）欄、D-4 24時間生活変化シートの「（表中の）記入者」欄
(4)生活援助記録の入力：D-3
生活リズム・パターンシートの「気づいたこと」欄、D-4 24時間生活変化シートの「その時の具体的な様子や場面」欄
【００３７】
従って、このセンター方式に対しこの実施例の介護情報収集システムによれば、上記文書を含む複数種類の文書（Ａ〜Ｅ）を容易にかつ短時間で正確に作成することができる。
【００３８】
以上、図示例に基づき説明したが、この考案は上述の例に限定されるものでなく、実用新案登録請求の範囲の記載範囲内で適宜変更することができ、例えば事務所サーバーに代えて、あるいは加えて通常のパーソナルコンピュータを用いて、電子メール受信手段と介護情報記入手段と介護情報出力主段との少なくとも一つをそのパーソナルコンピュータで構成しても良い。また、上記実施例では作成する介護文書の言語として日本語を扱ったが、この考案の介護情報収集システムが作成する介護文書の言語は、例えば英語や韓国語、中国語等の外国語でもよい。
【産業上の利用可能性】
【００３９】
かくしてこの考案の介護情報収集システムによれば、携帯電話機等の携帯式端末手段を使って介護情報をリアルタイムで入力できるので、介護文書作成の手間を大幅に省くことができる。
【００４０】
また、事前に定めた入力規約に従って介護員が入力した介護情報を、介護情報記入手段が、入力規約データに基づき文書識別符号および入力項目で区分して介護文書ファイルに記入するので、介護文書の記載内容に誤りや漏れが発生するのを防止することができ、また現在の入力規約に含まれない新たな業務が生じた場合にも、それを入力規約に加えるとともに入力規約データを更新するだけでフレキシブルに対応できるので、この点でも介護文書の記載内容に誤りや漏れが発生するのを防止することができる。
【００４１】
さらに、介護情報記入手段が、介護情報を入力規約データに基づき区分して複数種類の介護文書ファイルに記入するので、介護文書作成の時間を大幅に短縮することができる。
【符号の説明】
【００４２】
１  携帯端末
２  事務所サーバー
２ａ  電子メール受信部
２ｂ  介護情報記入部
２ｃ  介護情報出力部２ｃ
３  介護文書
【図１】
0003176303.tif 000003
【図２】
0003176303.tif 000004
【図３】
0003176303.tif 000005
【図４】
0003176303.tif 000006
【図５】
0003176303.tif 000007
【図６】
0003176303.tif 000008
【図７】
0003176303.tif 000009
【図８】
0003176303.tif 000010